(57)【要約】【課題】  簡単な構造により、容易に装着可能で、書類に密着し、かさばることの無いクリップ、クリップファイルを提供する。【解決手段】  コーナークリップ１は、略直角のコーナー部２辺を持つ上挟持部１１および下挟持部１２から成り、上下挟持部のコーナー部２辺に沿って、下挟持部１２と一体成型された弾性体１０、１０が配置されている。この弾性体１０は並列に配置された一対の弾性部材１４、１４から成り、その一端が結節部１５で連結し、他端は、ひとつが下挟持部１２と一体の形成体として連結し、他の端部は上挟持部１１の一部と接触して上挟持部を下方の向きに付勢するように形成されている。【選択図】  図１
2005335358.tif 000002
【特許請求の範囲】
【請求項１】
書類等、任意の挟持物を挟持するクリップであって、
少なくとも内面がほぼ平面状であるほぼ板状の上挟持部と、
少なくとも内面がほぼ平面状であるほぼ板状の下挟持部と、
ほぼ並列に配置され、その端部が互いに連結された結節部を有する一対の弾性部材で形成された少なくとも１以上の弾性体とを備え、
前記弾性体を形成する弾性部材の各々の端部が前記上挟持部および下挟持部とそれぞれ少なくとも１点で接することを特徴とするクリップ。
【請求項２】
少なくとも対の弾性体が、所定の角度にて配置されたことを特徴とする請求項１に記載のクリップ。
【請求項３】
前記弾性体が、前記上挟持部もしくは下挟持部と一体の部材として形成されたことを特徴とする請求項１または２に記載のクリップ。
【請求項４】
前記上挟持部または下挟持部が、それぞれ、前記所定の角度をなす２辺および当該２辺の端部を結ぶ略三角形であることを特徴とする請求項２または３に記載のクリップ。
【請求項５】
複数の弾性体を有することを特徴とする請求項１ないし４の何れか一項に記載のクリップ。
【請求項６】
前記弾性体を形成する弾性部材の断面形状が略長方形を成す板状部材で形成されたことを特徴とする請求項１ないし５の何れか一項に記載のクリップ。
【請求項７】
前記弾性体を形成する弾性部材の各端部において、上挟持部と接する場合には前記端部の先端が下方に、下挟持部と接する場合には前記端部の先端が上方に傾斜するように形成されたことを特徴とする請求項１ないし６の何れか一項に記載のクリップ。
【発明の詳細な説明】
【発明の詳細な説明】
【技術分野】
【０００１】  本発明はクリップに関し、より詳細には、書類等のコーナーに装着するコーナークリップ、あるいは書類用クリップ、クリップを利用したファイル等の機構に関する。
【背景技術】
【０００２】  従来、コーナークリップとしては、挟持部の形状が略直角二等辺三角形に形成されたクリップであって、その斜辺となる先端部分が閉じる力で、挟持物を挟むプラスチック製のクリップが市販されている。この場合、当該先端部分に挟持力を与えるため、様々な工夫がされている。【０００３】  ひとつには、線状部材で構成されたバネを、当該クリップの斜辺と直角方向に配置して、クリップ挟持板の斜辺部分で挟持物を挟持する方法を採用したクリップ（図１６参照）。すなわち、通常の洗濯バサミ型クリップの形状を三角形にしたもので、そのバネの支点となる部分は書類の縁から各々はみ出ている。【０００４】  今ひとつは、書類のコーナー部に装着された状態において、その書類の水平端縁部、および垂直端縁部と平行に位置するクリップの２辺に、その各々の辺と直角となる方向にバネを配置して、その先端部分が閉じようとする力を挟持板に伝達し、挟持板の斜辺部分で挟持物を挟持する方法を採用したクリップ（図１４、１５参照）がある。この場合はバネの閉じる方向と、クリップそのものが閉じる方向とが異なるため、バネの背板、すなわち支点となる部分を中心として、挟持板が回転するように、バネと挟持板とが接する部分の形状を工夫している。そしてその形状を挟持板の厚さの範囲内で処理しているため、挟持板が厚くならざるを得ない。【０００５】  また、金属製のコーナークリップとして、いわゆるダブルクリップの背板部分に開口を設けて、その部分から書類のコーナー部分が、とび出し可能とすることで、書類のコーナー部に装着できるようにしたコーナークリップが考案されている。この場合、クリップの挟持板の形状は矩形であるため、書類等に装着した時には、クリップそのものの角が書類からはみ出し、また、クリップを開くため、回転するハンドルが設けられており、かさばる要因ともなっている。
【発明が解決しようとする課題】
【０００６】  プラスチック製にしても、金属製にしても、従来のコーナークリップは先に説明したように、クリップそのものが必要以上にかさばるという不都合がある。
また、挟持できる書類の厚みという観点から言えば、バネの支点部分における上下両挟持板の離間距離、あるいはダブルクリップ形式の場合はその背板部分における上下両挟持板の離間距離が、挟むことのできる書類の厚さの限界である。
【０００７】  そして、従来のコーナークリップの場合、そのバネの支点部分における上下両挟持板の離間距離、あるいはダブルクリップの場合はその背板部分における上下両挟持板の離間距離は、いずれの場合も固定的な幅である。そのため、その幅よりも薄い書類等を挟んだ場合には、書類の厚さと上下両挟持板の離間距離との差が、挟持板の厚さに加えて必要以上にかさばる要因となる。
特に厚い書類を綴じたときよりも薄い書類を綴じた場合のほうがよりかさばるという矛盾、不合理がある。
【０００８】  クリップで綴じることに起因する押圧跡など、書類の傷みという観点から従来のコーナークリップをみると、その先端部分で挟持物を挟持するため、局所的に大きな力がかかることになる。特に厚い書類等を挟んだ後には、その部分が凹みとなってとじ跡が残る場合がある。
【０００９】  また、クリップを形態という観点からみると、従来のコーナークリップは、先に説明したとおり、先端の線状部分で挟持するため、その力点となる先端部分は常に直線的であり、さらには、挟持する部分、すなわち力点は平面上、上下同一でなければ、書類を挟んだときに十分な挟持力を得ることができない。したがって、その形状は、おのずと制限され、たとえば、丸いコーナークリップ、あるいは、キャラクターの形をしたクリップ等、自由な形状を持つクリップは機能上、不十分なものとならざるを得ない。
【発明の目的】
【００１０】  以上が、従来のコーナークリップの構造上発生し、避けることのできない不都合な点である。本発明は、これら従来のコーナークリップの持つ不都合な点のすべてを同時に解消する構造のコーナークリップを提供することを目的とする。
同時に、本発明の機構を利用したかさばらない通常型クリップ（書類のコーナーではなくひとつの辺の端縁に装着するクリップ）、本発明のクリップ機構を応用したかさばらないファイルをも提供することを目的とする。
【００１１】。
すなわち、本発明は簡単な構造で、書類等を挟持したときに、挟持板の厚さが必要以上に厚くならず、どんな厚さの書類を挟んだ時にも、挟持板が書類に密着してかさばることがなく、強い挟持力で挟持物を挟んだ時にも跡が残らず、開くためのハンドルも不要で、そしてなお、挟持板を自由な形状にできるコーナークリップを提供することを目的とする。さらには、クリップを構成するバネの形状を工夫することで、より薄型、安価で、且つ、かさばることのないクリップあるいはファイルを提供することを目的とする。
【課題を解決するための手段】
【００１２】  前記目的を達成するため、本発明は、並列に配置され、且つ、その端部が互いに結合された一対の弾性を有する弾性部材からなる２以上の弾性体と、上下一対のほぼ板状の挟持部とで構成された形成体をコーナークリップの構造として採用した。
【００１３】  より具体的には、本発明の目的は、書類等、任意の挟持物のコーナーに装着することで、挟持物を挟持するクリップであって、少なくても内面がほぼ平面であり、略直角のコーナー部を有する略板状の上挟持部と、少なくとも内面がほぼ平面であり、略直角のコーナー部を有する略板状の下挟持部とを備え、且つ、並列に配置され、その端部が互いに結合された弾性部材からなる弾性体が、前記挟持部のコーナー各辺に配置され、前記弾性部材の各々の端部が上挟持部および下挟持部とそれぞれ少なくとも一ヶ所接触することで、上挟持部および下挟持部を双方が近接する向きで付勢するように形成されたことを特徴とするクリップによって達成される。
【００１４】  また、本発明の目的は、書類等、任意の挟持物の一辺に装着することで、挟持物を挟持するクリップ、あるいはクリップファイルであって、少なくとも内面がほぼ平面である略板状の上挟持部と、少なくとも内面がほぼ平面である略板状の下挟持部とを備え、且つ、並列に配置され、その端部が互いに結合された弾性部材からなる少なくとも１以上の弾性体が、前記挟持部の背面側に配置され、前記弾性部材の各々の端部が上挟持部および下挟持部とそれぞれ少なくとも一ヶ所接触することで、上挟持部および下挟持部を双方が近接する向きで付勢するように形成されたことを特徴とするクリップあるいはクリップファイルによって達成される。
【００１５】  より好ましい実施態様においては、前記弾性体が上挟持部あるいは下挟持部と一体の部材として形成されている。
より好ましい実施態様においては、前記弾性部材が板状の弾性部材で形成されている。
より好ましい実施態様においては、前記弾性部材の先端が、上挟持部と接触する場合にはその先端が下方に傾斜するように形成され、下挟持部と接触する場合にはその先端が上方に傾斜するように形成されている。
【発明を実施するための最良の形態】
【００１６】以下、添付図面を参照して、本発明に係るクリップの形態、その使用方法などにつき説明を加える。
図１は、本発明の第１の実施形態にかかるコーナークリップの平面図、図２は背面図、図３は挟持物を挟持した状態の背面図、図４はＸ１−Ｘ１側断面図、図５は弾性部材と上挟持部との接触部分を示すＸ２−Ｘ２部分断面図である。
図１に示すように、上挟持部１１および下挟持部１２は、略直角のコーナー部２辺を持つ板状の部材から成り、下挟持部は上挟持部よりも先端が長く突出している。また、図１および図２に示すように、上下挟持部のコーナー部２辺に沿って、下挟持部１２と一体成型された弾性体１０、１０が配置されている。この弾性体１０は並列に配置された一対の弾性部材１４、１４から成り、その一端が結節部１５で連結し、他端は、ひとつが下挟持部１２と一体の形成体として連結し、他の端部は図５の部分詳細図に示すように、上挟持部１１の一部と接触して上挟持部を下方の向きに付勢するように形成されている。【００１７】  本実施の形態にかかるコーナークリップ１は、従来のコーナークリップと異なり、何も挟持しない状態では、図２に示すように上下挟持板が平行に密着した状態、つまり、２枚の板が合わさった形状となっている。また、挟持できる挟持物の厚みは、従来のコーナークリップでは、そのバネの支点における上下両挟持部の離間距離、あるいはバネの背板の高さに相当する厚みまでという制限があったが、本実施の形態にかかるコーナークリップ１では、弾性体の性能が許す限り、任意の厚みの挟持物、言い換えればどんな厚さの挟持物でも挟むことができる。【００１８】  本実施の形態にかかるクリップ１にて、挟持物１３を挟もうとする時につき、以下に説明する。まず、使用者は、図６に示すように、上挟持部１１と下挟持部１２の端縁が交差する部分に書類等の挟持物１３を差込む。この時、挟持物１３の厚みにより上下挟持部の先端が開く。開いた後、コーナークリップ１を図６のように回転して書類に差込む。このとき、挟持物１３に備わる厚みが、上挟持部１１と下挟持部１２との離間距離を押し広げる。そして、上挟持部１１と下挟持部１２との離間距離が挟持物１３と同一となったときに、図３に示すように上挟持部１１、下挟持部１２、並びに、挟持物１３の表面および裏面は平行になる。このとき、図３に示すように変形した弾性体１４、１４が元に復元しようとする力、すなわち上挟持部１１および、下挟持部１２を互いに近接させる方向に働く力が、上挟持部１１および下挟持部１２に伝達され、上挟持部１１および下挟持部１２は挟持物１３に密着し、上挟持部１１の下面および下挟持部１２の上面全体で、挟持物１３を挟持する。
なお、最初にクリップ先端を開く時は、上下挟持部のコーナー部１７を押圧してクリップ先端を開いても良い。
挟持物１３からクリップ１を外す場合には、使用者は挟持物１３を片手で保持し、コーナークリップ１を引き抜くだけでよい。【００１９】  また、本発明にかかる弾性体、上下挟持部の形状、組み合わせ方等を変えることで、薄型の通常型クリップ（書類コーナーではなく、書類の端縁を挟持するクリップ）、あるいはクリップを利用した薄型のクリップファイルをも実現することが可能である。以下においてその実施形態について述べる。【００２０】  図７は、本発明の第２の実施形態にかかるクリップファイルの平面図、図８は背面図（弾性体の部分のみ）、図９は挟持物を挟持した状態の背面図（弾性体の部分のみ）、図１０はＸ３−Ｘ３側断面図、図１１は弾性体の形状を示す斜視図である。
図７に示すように、本クリップファイルは上挟持部１１、下挟持部１２（図面には現れない）、複数の弾性体１０（この場合は４つ）、および書類を保護するカバー（表紙）とから形成されている。この場合前記コーナークリップと異なり弾性体１０は同列、つまりクリップ端縁１辺に沿って配置されている。
使用方法は、カバー（表）とカバー（裏）との間に書類を差込んでクリップ先端を開き、その後書類を奥まで押し込めばよい。このとき、前記コーナークリップと同様、挟持物１３に備わる厚みが、上挟持部１１と下挟持部１２との離間距離を押し広げ、上挟持部１１と下挟持部１２との離間距離が挟持物１３と同一となったときに、図９に示すように上挟持部１１、下挟持部１２、並びに、挟持物１３の表面および裏面は平行になり、挟持物１３を挟持する。【００２１】なお、本クリップファイルの場合はコーナークリップと異なり、クリップの一辺、すなわち片側のみに弾性体の復元力が作用するため、クリップ先端（弾性体と反対側の辺）が開いてしまう恐れが生じる。このため図１１に示すように上挟持部に固定される弾性部材１４の先端を下方に傾斜して成型するのが望ましい。これによりクリップ先端に閉じようとする力が働く。また弾性体１４を板状部材で成型することにより、弾性体１４のねじれ抵抗力は大きくなり、クリップ先端はより開きにくくなる。
なお、弾性体１４の先端に傾斜をもたせることは、前記コーナークリップにおいても挟持力を高める、開きにくくするなど、クリップ本来の機能を高める上で有効である。【００２２】  無論、先に述べたように、本発明の機構は、クリップファイルのクリップ部分のみを取り出し、小さくすることで薄型の通常型クリップ（書類コーナーではなく、書類の端縁を挟持するクリップ）にも応用可能である。
図１２は本発明の第３の実施形態にかかる薄型、通常型クリップの実施例である。構造原理は、前記クリップファイルと略同様なので、詳しい説明は省略する。【００２３】  本発明は、以上の実施の形態に限定されることなく、特許請求の範囲に記載された発明の範囲内で、種々の変更が可能であり、それらも本発明の範囲内に包含されるものであることは言うまでもない。
たとえば、本実施の形態において弾性体が、板状部材で形成されているが、このような形状に限定されるものではない。並列に配置された弾性を有する線材で形成しても良い。本実施の形態においては、弾性体が下挟持部と一体の部材として形成されているが、無論、独立した弾性体の端部を上下挟持部に接合させても良い。【００２４】  さらには、上下挟持部、弾性体に使用する素材は本実施の形態においては合成樹脂製として表現されているが、このような素材に限定されることは無い。金属製とすれば、より薄くて且つ、バネ性能の良いクリップを提供できることは言うまでも無い。無論、上又は下挟持部のどちらか片方を金属製としても、薄く、意匠的にも良好で、且つ性能の良いクリップを実現できることは言うまでも無い。弾性体の数も限定されるものでは無い。
弾性体の形状も本実施の形態に限定されることは無い。特に弾性体の形状を決めるにあたっては、局所的に応力集中が起こらないような形状とすることが必要であり、そのため、求められる性能に応じて局部的に厚くしたり、幅を広げたりする必要もある。【００２５】  また、挟持部の素材、形状等も本実施の形態に限定されるものでは無い。特に本発明によれば、先端で書類等を挟む従来型のクリップと異なり、上下挟持板全面で挟持するため、その形状は自由である。たとえば、図１３に示すような略円形のクリップも可能である。挟持部の内面には、凹凸を設けて書類等に食い込ませ、よりずれにくいように形成しても良い。
また、弾性部材と挟持部との接触部も本実施の形態に限定されることは無い。弾性体の復元力、曲げ抵抗力、ねじれ抵抗力等が挟持板に確実に伝達されれば、どのような形状であっても良い。
【発明の効果】
【００２６】  以上説明したように、本発明によれば、従来、特別な工夫なしには不可能であったコーナークリップを、簡単な構造、少ない部品数によって提供できるだけではなく、薄型、自由な形状のコーナークリップ等、今までにない新たな機能をもつコーナークリップを提供することが可能である。
特に本発明の特長でもある、弾性体を形成する弾性部材を挟持板と略同一平面状に並列に配置することによって、きわめて薄型でかさばることの無いクリップを提供することが可能になる。さらには、実施例で示したように、弾性体を挟持部と一体の部品として成型すれば従来のコーナークリップ（部品４点）の半分の部品点数となり、大幅なコストダウンが期待できる。
【００２７】  さらには、本発明によれば、弾性体はクリップ端縁沿い（書類を挟持したときは書類端縁の外側）に配置されるので、従来のコーナークリップのようにバネで書類を隠すことが無い。特に挟持部の素材を透明な合成樹脂で形成すれば、書類を隠すものは一切無く、機能的にも意匠的にも優れたクリップを提供することが可能になる。
弾性体に板状部材を使用すれば、弾性体のねじれ抵抗力が増大し、クリップ先端の開きを防止できるのみでなく、コーナークリップにおいても上下挟持板相互の水平方向のずれを防止でき、よりしっかりしたコーナークリップを提供することが可能となる。
【００２８】  また、本発明によれば、どんな厚みの書類を挟持しても、挟持部が挟持物に密着するので、挟持物の上下に出っ張るのは、挟持部の厚みだけである。挟持部に強度のある素材、たとえば金属板等を使用すれば、クリップを意識しなくても済むような、かさばることのないクリップを提供することが可能になる。
本発明によれば、弾性体の性能の許す限り、どんな厚みの挟持物を挟むことも可能であり、従来のクリップのように書類厚に応じてクリップを使い分ける必要のない極めて汎用性の高いクリップを実現することが可能となる。
【００２９】  本発明によれば、クリップの力点、すなわち挟持物を挟持する部分は、従来のクリップのように、先端の局所的な線状部分ではなく、挟持部の面全体であるので、強い挟持力で挟持したときでも、従来のように挟持跡が残ることがなく、書類を傷めることがない。また、面全体に挟持力が働くため、クリップと書類あるいは書類同士の接触面積が大きく、小さな挟持力でも書類がずれにくいクリップを提供することが可能である。
本発明によれば、面全体で挟持物を挟持するため、挟持部の形状は自由な形とすることができる。
【図面の簡単な説明】
【図１】  図１は、第１の実施形態にかかるコーナークリップの平面図である。
【図２】  図２は、第１の実施形態にかかるコーナークリップの背面図である。
【図３】  図３は、第１の実施形態にかかるコーナークリップで、挟持物を挟持した状態を示す背面図である。
【図４】  図４は、第１の実施形態にかかるコーナークリップで、何も挟持していない状態を示すＸ１−Ｘ１断面図である。
【図５】  図５は、第１の実施形態にかかるコーナークリップの弾性部材と上挟持部との接触部を示すＸ２−Ｘ２断面詳細図である。
【図６】  図６は、第１の実施形態にかかるコーナークリップで、挟持物を挟持しようとする状態の動作図である。
【図７】  図７は、第２の実施形態にかかるクリップファイルの平面図である。
【図８】  図８は、第２の実施形態にかかるクリップファイルの背面図である。
【図９】  図９は、第２の実施形態にかかるクリップファイルで、挟持物を挟持した状態を示す背面図である。
【図１０】  図１０は、第２の実施形態にかかるクリップファイルで、何も挟持していない状態を示すＸ３−Ｘ３断面図である。
【図１１】  図１１は、弾性体の形状を示す斜視図である。
【図１２】  図１２は、第３の実施形態にかかるクリップの平面図である。
【図１３】  図１３は、第４の実施形態にかかるコーナークリップの平面図である。
【図１４】  図１４は、従来型コーナークリップの平面図である。
【図１５】  図１５は、従来型コーナークリップの背面図である。
【図１６】  図１６は、従来型コーナークリップの平面図である。
【符号の説明】
１．  第１の実施形態にかかるコーナークリップ
２．  第２の実施形態にかかるクリップファイル
３．  第３の実施形態にかかるクリップ
４．  第４の実施形態にかかるコーナークリップ
Ａ．  従来型コーナークリップ
Ｂ．  従来型コーナークリップ
１０．弾性体
１１．上挟持部
１２．下挟持部
１３．挟持物
１４．弾性部材
１５．結節部
１６．接触部
１７．コーナー部
Ａ１１．上挟持部
Ａ１２．下挟持部
Ａ３０．板バネ
Ａ３１．背板部分（板バネ）
Ｂ１１．上挟持部
Ｂ３０．コイルバネ
Ｂ３２．支点
【図１】
2005335358.tif 000003
【図２】
2005335358.tif 000004
【図３】
2005335358.tif 000005
【図４】
2005335358.tif 000006
【図５】
2005335358.tif 000007
【図６】
2005335358.tif 000008
【図７】
2005335358.tif 000009
【図８】
2005335358.tif 000010
【図９】
2005335358.tif 000011
【図１０】
2005335358.tif 000012
【図１１】
2005335358.tif 000013
【図１２】
2005335358.tif 000014
【図１３】
2005335358.tif 000015
【図１４】
2005335358.tif 000016
【図１５】
2005335358.tif 000017
【図１６】
2005335358.tif 000018